(57)【特許請求の範囲】
【請求項１】
相互に逆方向の所定の傾斜角度で所定の中心間距離を持って対向して配置された一対の第１ミラーと、前記第１ミラーからの反射光を反射させて装置本体の光学系に入射させる一対の第２ミラーと、前記第１ミラーの少なくとも一方の傾斜角度を調整する傾斜角度調整手段とを備えた、所定の視差を有する一対の像を得ることができる光学アダプター装置を前記光学系に着脱可能に装着し、３次元の像を撮影することができる立体像撮影装置において、
前記傾斜角度調整手段は、回転可能な操作部と、前記操作部に設けられ、前記第１ミ ラーの一端に係合する螺旋状の係合部とを備え、前記操作部を回転させることにより、 前記第１ミラーの一端を前記係合部に沿って移動させ、前記第１ミラーの他端を軸に揺 動させて、前記第１ミラーの傾斜角度を調整するように構成されている
ことを特徴とする立体像撮影装置。
【請求項２】
撮影装置の光学系に着脱可能であり、所定の視差を有する一対の像を得ることができる光学アダプター装置であって、相互に逆方向の所定の傾斜角度で所定の中心間距離を持って対向して配置された一対の第１ミラーと、前記第１ミラーからの反射光を反射させて前記光学系に入射させる一対の第２ミラーと、前記第１ミラーの少なくとも一方の傾斜角度を調整する傾斜角度調整手段とを備えた光学アダプター装置において、
前記傾斜角度調整手段は、回転可能な操作部と、前記操作部に設けられ、前記第１ミ ラーの一端に係合する螺旋状の係合部とを備え、前記操作部を回転させることにより、 前記第１ミラーの一端を前記係合部に沿って移動させ、前記第１ミラーの他端を軸に揺 動させて、前記第１ミラーの傾斜角度を調整するように構成されている
ことを特徴とする光学アダプター装置。
【発明の詳細な説明】
【０００１】
【発明の属する技術分野】
この発明は、３次元の像を撮影することができる立体像撮影装置及びその装置に用いられている光学アダプター装置に関するものである。
【０００２】
【従来の技術】
従来の立体像撮影装置としては、例えば光学的手法により画面の右半分と左半分にそれぞれ右眼用と左眼用の像を撮影する装置が知られている。
このような立体像撮影装置における像は、最も立体視覚効果を発揮することができる視差を有するように撮影されている。即ち、右眼用の像と左眼用の像の中心間距離が、オペレータの両目の間隔より多少短くなるように撮影されている。
【０００３】
【発明が解決しようとする課題】
上述した従来の立体像撮影装置にズーム機構が付属している場合、ズーム倍率の変化に伴って像が大きくなるのと同時に、右眼用の像と左眼用の像の中心間距離も変化する。
図８（Ａ）は、この立体像撮影装置を用いて標準（１００％）で撮影した像の一例を示す図であり、同図（Ｂ）及び（Ｃ）は、ズーム１１０％及びズーム１２０％で撮影した像の一例を示す図である。
【０００４】
標準（１００％）で撮影した場合の像は、右眼用の像と左眼用の像の中心間距離がｗ１と視差を有していたのに対し、ズーム１１０％及びズーム１２０％で撮影した場合の各像は、右眼用の像と左眼用の像の中心間距離がｗ２及びｗ３とｗ１より次第に長くなり、視差を有さなくなる。従って、ズーム機構を作動させて撮影した場合に得られる像の立体視覚効果は悪化してしまい、場合によっては立体視覚効果を得ることができなくなるという問題があった。
【０００５】
この発明は、上述した事情から成されたものであり、ズーム撮影においても良好な立体視覚効果を得ることができる立体像撮影装置及びその装置に用いられている光学アダプター装置を提供することを目的とする。
【０００６】
【課題を解決するための手段】
上記目的は、この発明にあっては、３次元の像を撮影することができる立体像撮影装置であって、相互に逆方向の所定の傾斜角度で所定の中心間距離を持って対向して配置された一対の第１ミラーと、前記第１ミラーからの反射光を反射させて装置本体の光学系に入射させる一対の第２ミラーと、前記第１ミラーの少なくとも一方の傾斜角度を調整する傾斜角度調整手段とを備えた、所定の視差を有する一対の像を得ることができる光学アダプター装置を前記光学系に着脱可能に装着する立体像撮影装置において、
前記傾斜角度調整手段は、回転可能な操作部と、前記操作部に設けられ、前記第１ミ ラーの一端に係合する螺旋状の係合部とを備え、前記操作部を回転させることにより、 前記第１ミラーの一端を前記係合部に沿って移動させ、前記第１ミラーの他端を軸に揺 動させて、前記第１ミラーの傾斜角度を調整するように構成されている
ことを特徴とする立体像撮像装置により達成される。
【０００７】
また、上記目的は、この発明にあっては、撮影装置の光学系に着脱可能であり、所定の視差を有する一対の像を得ることができる光学アダプター装置であって、相互に逆方向の所定の傾斜角度で所定の中心間距離を持って対向して配置された一対の第１ミラーと、前記第１ミラーからの反射光を反射させて前記光学系に入射させる一対の第２ミラーと、前記第１ミラーの少なくとも一方の傾斜角度を調整する傾斜角度調整手段とを備えた光学アダプター装置において、
前記傾斜角度調整手段は、回転可能な操作部と、前記操作部に設けられ、前記第１ミ ラーの一端に係合する螺旋状の係合部とを備え、前記操作部を回転させることにより、 前記第１ミラーの一端を前記係合部に沿って移動させ、前記第１ミラーの他端を軸に揺 動させて、前記第１ミラーの傾斜角度を調整するように構成されている
ことを特徴とする光学アダプター装置により達成される。
【０００８】
上記構成によれば、ズーム撮影の際に傾斜角度調整手段により第１ミラーの傾斜角度を調整して像の中心間距離を適宜補正し、視差を有する像を得るようにしているので、良好な立体視覚効果を得ることができる。
【０００９】
【発明の実施の形態】
以下、この発明の好適な実施形態を添付図面に基づいて詳細に説明する。
なお、以下に述べる実施形態は、この発明の好適な具体例であるから、技術的に好ましい種々の限定が付されているが、この発明の範囲は、以下の説明において、特にこの発明を限定する旨の記載がない限り、これらの形態に限られるものではない。
【００１０】
図１は、この発明の光学アダプター装置の実施形態を備えた立体像撮影装置の実施形態を示す斜視図であり、図２は、その光学アダプター装置の取付前の状態を示す一部断面斜視図であり、図３は、その立体像撮影装置の内部の概略構成例を示すブロック図である。
この立体像撮影装置１００は、ビデオカメラ装置１１０と、光学アダプター装置１３０とで構成されている。光学アダプター装置１３０は、ビデオカメラ装置１１０に対して着脱可能となっている。
【００１１】
ビデオカメラ装置１１０は、例えば８ｍｍビデオカメラやデジタルビデオカメラ等の一般的なビデオカメラである。ビデオカメラ装置１１０のビデオカメラ本体１１１は、合成樹脂等により筐型に形成されており、その前面には撮影レンズ１１２が取り付けられ、後面には拡大レンズの付いたアイカップ１１３が着脱自在に取り付けられている。
【００１２】
そして、ビデオカメラ本体１１１には、固体撮像素子（ＣＣＤ）１１４、増幅器１１５、映像信号処理回路１１６、映像記録／再生回路１１７、液晶ドライブ回路１１８、ＶＴＲ１１９、液晶ディスプレイ（ＬＣＤ）１２０等が内蔵されている。また、ビデオカメラ本体１１１の撮影レンズ１１２側に取り付けられているフィルタ取付用ねじ部（マウント部）１２１には、光学アダプター装置１３０が着脱自在に螺着されている。
【００１３】
光学アダプタ装置１３０のケース１３１は、合成樹脂等により台形状に形成されており、その前面には一対の像を取り込む一対の像取込窓１３２ａ，１３２ｂが設けられ、後面にはレンズ部取付開口１３３が設けられている。そして、レンズ部取付開口１３３の周縁部１３３ａには、上下一対の爪部（係止部）１３４，１３４が一体突出形成されており、爪部１３４，１３４がビデオカメラ本体１１１のフィルタ取付用ねじ部１２１に着脱自在に螺着されるようになっている。
【００１４】
また、ケース１３１の両側の傾斜壁１３１ａ，１３１ｂの内面近傍には、一対の平面状の第１のミラー１３５ａ，１３５ｂが配置されている。即ち、一対の第１のミラー１３５ａ，１３５ｂは、像取込窓１３２ａ，１３２ｂに垂直に入射する入射光Ｌａ，Ｌｂに対して相互に逆方向の例えば４５°の傾斜角度で所定の中心間距離を持って対向して配置されている。
【００１５】
さらに、ケース１３１内の中央のつい立て（図示省略）の後方には、そのつい立てとで三角筒状になると共に、第１のミラー１３５ａ，１３５ｂと略平行に対向する一対の平面状の第２のミラー１３６ａ，１３６ｂが配置されている。即ち、一対の第２のミラー１３６ａ，１３６ｂは、第１のミラー１３５ａ，１３５ｂで反射された反射光Ｌａａ，Ｌｂｂに対して相互に逆方向の例えば４５°の傾斜角度で所定の中心間距離を持って対向して配置されている。
これらにより、左右の眼から見たものに相当する像が、左半分、右半分に集光されて撮影レンズ１１２に入射するようになっている。
【００１６】
さらに、ケース１３１の上面１３１ｃの一方の像取込窓１３２ａ近傍には、片側の第１のミラー１３５ａの傾斜角度を像取込窓１３２ａに対して調整するための傾斜角度調整手段１４０が設けられている。
この傾斜角度調整手段１４０の詳細を、図４に示す光学アダプター装置１３０の概略分解斜視図及び図５に示す傾斜角度調整手段１４０の平面図、断面側面図及び背面図を参照して説明する。
【００１７】
この傾斜角度調整手段１４０は、回転軸１４１ａを中心に回転可能な円板状の操作部１４１と、この操作部１４１の一端面に回転軸１４１ａを囲むように設けられ（この例では、３００°の範囲）、片側の第１のミラー１３５ａに係合する螺旋状の溝の係合部１４２とを備えている。
このような構成の傾斜角度調整手段１４０を取り付ける際は、先ず、操作部１４１の回転軸１４１ａをケース１３１の上面１３１ｃに設けられている孔１３１ｄに挿入し、ケース１３１の内側からねじ止めする。
【００１８】
次に、片側の第１のミラー１３５ａの一端の上側に設けられている突起１３５ａａを孔１３１ｄの近傍に設けられている楕円形状の孔１３１ｅに挿入し、操作部１４１の係合部１４２に差し込む。
そして、傾斜角度調整手段１４０を操作する際は、操作部１４１を回転させることにより、第１のミラー１３５ａの突起１３５ａａは係合部１４２に沿って移動するので、第１のミラー１３５ａの他端を軸に第１のミラー１３５ａを図示矢印ａ方向に揺動させることができる。
【００１９】
このような構成の立体像撮影装置１００を用いて標準（１００％）で撮影する場合、図６の一点鎖線で示すように、光学アダプタ装置１３０の像取込窓１３２ａ，１３２ｂから入射する入射光Ｌａ，Ｌｂは、第１のミラー１３５ａ，１３５ｂで略直角に反射され、その反射光Ｌａａ，Ｌｂｂは、第２のミラー１３６ａ，１３６ｂで略直角に反射される。そして、その反射光ＬＡ，ＬＢは、撮影レンズ１１２で集光されて固体撮像素子１１４に入射される。
【００２０】
そして、固体撮像素子１１４で変換された映像信号は、増幅器１１５と映像信号処理回路１１６及び映像記録／再生回路１１７を介してＶＴＲ１１９により記録／再生されるようになっていると共に、液晶ドライブ回路１１８を介して小型モニタとしての液晶ディスプレイ１２０に映し出されるようになっている。従って、オペレータは、液晶ディスプレイ１２０に映し出された映像を、液晶ディスプレイ１２０に対向して配置されたアイカップ１１３を介して視認することができるようになっている。この標準（１００％）で撮影した場合の像は、図７（Ａ）に示すように、右眼用の像と左眼用の像の中心間距離がｗ１と視差を有している。
【００２１】
次に、ズーム１１０％及びズーム１２０％で撮影する場合、この状態のままでは、従来技術で説明したように、各像は右眼用の像と左眼用の像の中心間距離がｗ２及びｗ３とｗ１より次第に長くなり、視差を有さなくなる。そこで、傾斜角度調整手段１４０を操作して第１のミラー１３５ａの傾斜角度を適宜に調整することにより、図６の二点鎖線で示すように、光学アダプタ装置１３０の一方の像取込窓１３２ａから入射する入射光１ａは、傾斜角度が適宜に調整された第１のミラー１３５ａで調整角度分含めた角度で反射され、その反射光１ａａは、第２のミラー１３６ａで調整角度分含めた角度で反射される。
【００２２】
従って、その反射光ｌＡは、上記反射光ＬＡと略同一の個所で撮影レンズ１１２で集光されて固体撮像素子１１４に入射される。よって、このズーム１１０％及びズーム１２０％で撮影した場合の像は、図７（Ａ）及び（Ｂ）に示すように、右眼用の像と左眼用の像の中心間距離は共にｗ１とすることができ、視差を有することになる。これにより、ズーム機構を作動させて撮影した場合に得られる像でも立体視覚効果を良好にすることができる。
【００２３】
尚、上述した実施形態においては、動画を撮影する一般的なビデオカメラ装置に光学アダプタ装置を装着した立体像撮影装置について説明したが、特にこれに限定されるものではなく、例えば静止画を撮影するカメラ等に光学アダプタ装置を装着した立体像撮影装置としても良い。この場合も光学アダプタ装置をカメラ等の光学系に着脱自在となるように装着する。
【００２４】
【発明の効果】
以上のように、この発明によれば、ズーム撮影においても良好な立体視覚効果を得ることができる。
【図面の簡単な説明】
【図１】この発明の光学アダプター装置の実施形態を備えた立体像撮影装置の実施形態を示す斜視図。
【図２】図１の立体像撮影装置の光学アダプター装置の取付前の状態を示す一部断面斜視図。
【図３】図１の立体像撮影装置の内部の概略構成例を示すブロック図。
【図４】図１の立体像撮影装置の光学アダプター装置の概略分解斜視図。
【図５】図４の光学アダプター装置の傾斜角度調整手段の平面図、断面側面図及び背面図。
【図６】図４の光学アダプター装置における光路例を示す断面平面図。
【図７】図１の立体像撮影装置により撮影した像の一例を示す図。
【図８】従来の立体像撮影装置により撮影した像の一例を示す図。
【符号の説明】
１００・・・立体像撮影装置、１１０・・・ビデオカメラ装置、１３０・・・光学アダプター装置、１３１・・・ケース、１３２ａ，１３２ｂ・・・像取込窓、１３３・・・レンズ部取付開口、１３４・・・爪部（係止部）、１３５ａ，１３５ｂ・・・第１のミラー、１３６ａ，１３６ｂ・・・第２のミラー、１４０・・・傾斜角度調整手段、１４１ａ・・・回転軸、１４２・・・係合部
【図１】
0003788675.tif 000002
【図２】
0003788675.tif 000003
【図３】
0003788675.tif 000004
【図４】
0003788675.tif 000005
【図５】
0003788675.tif 000006
【図６】
0003788675.tif 000007
【図７】
0003788675.tif 000008
【図８】
0003788675.tif 000009